(57)【要約】【課題】ビス又は釘打ちによってタイルの施工構造の端部の反り出しが無く、また基板最下段のタイルの浮動も防止されるタイルの施工構造と、そのためのタイル施工用金属板を提供することを目的とする。【解決手段】金属板１は、水平方向に５条のタイル掛止部３を設けたものであり、最下段の掛止部３は、金属板１の最下端に位置する。この最下段の掛止部３よりも上側のマーク８にビス９を打つ。上辺部２のマーク８もビス９で留め付ける。金属板１の留付終了後、マーク７に沿って接着剤を付着させ、タイル１１を下側の掛止部３から順次に掛止する。最下段の掛止部３に掛止されたタイル１１は、下方に隣接する金属板１の上辺部２のマーク７付近に接着される。【選択図】  図３
2004244852.tif 000002
【特許請求の範囲】
【請求項１】
タイル掛止部を有したタイル施工用金属板が躯体にビス又は釘留めされ、
裏面に溝を有したタイルが、該溝を前記掛止部に掛止させると共に接着剤によって接着されて該タイル施工用金属板に取り付けられているタイルの施工構造であって、
該掛止部は、金属板を折曲させて形成された水平方向に延在する凸条よりなり、
１枚のタイル施工用金属板に複数の掛止部が上下方向に間隔をあけて設けられており、
最上段の該掛止部よりも上方に上辺部が延設され、該上辺部がビス又は釘で躯体に固定されており、
最下段の該掛止部よりも上方にのみビス又は釘が打たれ、
複数枚のタイル施工用金属板が上下に連なって配設されている
タイルの施工構造において、
最下段の該掛止部に掛止されたタイルが、下側に隣接したタイル施工用金属板の上辺部に対して接着剤によって接着されていることを特徴とするタイルの施工構造。
【請求項２】
請求項１において、該最下段の掛止部は、タイル施工用金属板の最下端に設けられていることを特徴とするタイルの施工構造。
【請求項３】
請求項２において、該上辺部の上端に、上側に隣接したタイル施工用金属板の最下段の掛止部の内側に係合するフック部が設けられており、
該フック部は、前方に向って起立する起立片と、該起立片の起立方向の先端から上方に延出した延出片とを備えてなり、
該延出片は、鉛直よりも躯体側に傾いていることを特徴とするタイルの施工構造。
【請求項４】
平行な複数本のタイル掛止部が折曲形成されたタイル施工用金属板であって、
最上段に位置するタイル掛止部よりも上方側に上辺部が延設されているタイル施工用金属板において、
該上辺部の上端に、上側に隣接したタイル施工用金属板の最下段の掛止部の内側に係合するフック部が設けられており、
該フック部は、前方に向って起立する起立片と、該起立片の起立方向の先端から上方に延出した延出片とを備えてなり、
該延出片は、鉛直よりも躯体側に傾いていることを特徴とするタイル施工用金属板。
【発明の詳細な説明】
【０００１】
【発明の属する技術分野】
本発明は、タイルを躯体壁面に取付施工した構造と、このタイル施工構造に用いられる金属板とに関するものである。
【０００２】
【従来の技術】
タイル掛止部を折曲形成した金属板を用いてタイルを施工した構造は、実開昭５３−３４８２３号、特開昭５０−１５０２３７号に記載されている。
【０００３】
図６（ａ）は、この実開昭５３−３４８２３号のタイルの施工構造を示す縦断面図である。建物にタイル壁を構築するには、支柱２７に所要枚数の基板２１を、接合部２２を上に接合部２３を下にして、たがいの接合部２２を突条２４’の内側凹部に挿入し、その接合部２２より下側の部分に接合部２３を係合させて接続させ、かつ各基板２１の突条２４，２４’を水平にし、接合部２３および突条２４の下側至近位置において木ねじ３０によって固定する。
【０００４】
しかる後、各基板２１の各突条２４，２４’の係合面２４ａに被係合面２６ａを係合し、かつ溝２６で前記木ねじおよび突条２４，２４’を覆うようにしてタイル２５を掛け止め、接着剤２８によって張り付ける。
【０００５】
この図６（ａ）のタイルの施工構造にあっては、木ねじ３０を基板（タイル施工用金属板）２１の最下辺の接続部２３にも打っている。このようにすると、木ねじ３０を締め込んだ際に、図６（ｂ）に示すように、木ねじ３０近傍において基板２１の端部２３Ａが表側に反り返り、この結果、最下段の突条２４’に掛止されたタイル２５の下部が浮いてしまう。
【０００６】
図７、図８は特開昭５０−１５０２３７号のタイルの施工構造を示すものであり、図７（イ）は正面図、図７（ロ）は縦断面図、図８は基板（タイル施工用金属板）同士の係合部分の拡大縦断面図である。
【０００７】
同号公報の構造とすべく、建物にタイル壁を構築するには、支柱４７に所要枚数のアルミ製パネルａを、たがいの接合部４２と接合部兼凸条４３、すなわち一方の基板４１の横一字形の接合部４２を他方のパネルａの横Ｕ字形の接合部兼凸条４３の先端部内側面に係合させて接続せしめ、かつ各パネルａの凸条４３，４４を水平にして釘４８によって固定する。
【０００８】
しかるのち、各パネルａの各タイル張付面に横長矩形のタイル４９を接着剤５０によって張り付ける。この際、タイル４９の下長側辺を接合部兼凸条４３および条４４に当接させてそれらに乗載支持せしめるようにするとともに、左側短辺を標識４５に沿わせる。
【０００９】
上記タイル４９の張り付けを終えたのち、目地５１を施して目地仕上げをする。
【００１０】
このタイルの施工構造であれば、基板ａの最下端には釘４８は打たれないので、基板ａの最下部の反りは生じない。
【００１１】
しかしながら、この図７，８のタイルの施工構造にあっては、最下段の凸条４３に載荷されたタイル４９の裏側において、基板ａは宙吊り状態となっている。即ち、最下段の凸条４３付近は、釘４８が打たれておらず、出入り方向（矢印Ａ）に対して拘束されていない。このため、最下段のタイル４９が、基板ａの下端部と共に、図８の矢印Ａ方向に浮動し易い。
【００１２】
【特許文献１】
実開昭５３−３４８２３号
【特許文献２】
特開昭５０−１５０２３７号
【００１３】
【発明が解決しようとする課題】
本発明は、上記従来の問題点を解決し、ビス又は釘打ちによる基板端部の反り出しが無く、この反り出しに起因したタイルの浮きが無く、しかも、基板最下段のタイルの浮動も防止されるタイルの施工構造と、そのためのタイル施工用金属板を提供することを目的とする。
【００１４】
【課題を解決するための手段】
本発明（請求項１）のタイルの施工構造は、タイル掛止部を有したタイル施工用金属板が躯体にビス又は釘留めされ、裏面に溝を有したタイルが、該溝を前記掛止部に掛止させると共に接着剤によって接着されて該タイル施工用金属板に取り付けられているタイルの施工構造であって、該掛止部は、金属板を折曲させて形成された水平方向に延在する凸条よりなり、１枚のタイル施工用金属板に複数の掛止部が上下方向に間隔をあけて設けられており、最上段の該掛止部よりも上方に上辺部が延設され、該上辺部がビス又は釘で躯体に固定されており、最下段の掛止部よりも上方にのみビス又は釘が打たれ、複数枚のタイル施工用金属板が上下に連なって配設されているタイルの施工構造において、最下段の該掛止部に掛止されたタイルが、下側に隣接したタイル施工用金属板の上辺部に対して接着剤によって接着されていることを特徴とするものである。
【００１５】
かかる本発明のタイルの施工構造にあっては、最下段の掛止部よりも上方にのみビス又は釘が打たれているので、タイル施工用金属板の下端に反りが生じない。このため、この反りに起因したタイルの浮きがない。
【００１６】
また、本発明では、最下段の掛止部に掛止されたタイルが、下側に隣接したタイル施工用金属板の上辺部に接着され、且つ該上辺部がビス又は釘によって留め付けられているので、最下段の掛止部に掛止されたタイルの浮動も防止される。
【００１７】
本発明では、最下段の掛止部はタイル施工用金属板の最下端に設けられることが好ましい。このようにすれば、該金属板には、最下段の掛止部よりも下方に延出する部分がないので、施工時に誤って最下段の掛止部よりも下側にビス又は釘打ちして反りを生じさせることが防止される。
【００１８】
本発明のタイル施工用金属板は、該上辺部の上端に、上側に隣接したタイル施工用金属板の最下段の掛止部の内側に係合するフック部が設けられており、該フック部は、前方に向って起立する起立片と、該起立片の起立方向の先端から上方に延出した延出片とを備えてなり、該延出片は、鉛直よりも躯体側に傾いていることを特徴とするものである。
【００１９】
かかるタイル施工用金属板は、上記本発明のタイルの施工構造に用いることができる。このタイル施工用金属板は、上辺部の最上端にフック部が設けられており、しかも該フック部が単なる起立片ではなく、起立片と延出片とを有した略Ｌ字形となっているので、剛性が高く、タイル施工用金属板の上辺部の反り等の変形が防止される。
【００２０】
なお、このフック部は、上側に隣接するタイル施工用金属板の最下段の掛止部の内側に係合するものである。このフック部の延出片が鉛直よりも躯体側に傾いているので、延出片が多少変形しても最下段の掛止部の内面に当たることがなく、タイル施工用金属板の取付施工に全く支障とならない。
【００２１】
【発明の実施の形態】
以下、図面を参照して実施の形態について説明する。図１は実施の形態に係るタイル施工用金属板を示すものであり、（ａ）図は（ｂ）図（正面図）のＡ−Ａ線断面図である。図２（ａ）、（ｂ）は図１のＩＩａ、ＩＩｂ部分の拡大図、図２（ｃ）は金属板同士の重なり合い部分の縦断面図、図３はこの金属板にタイルを掛止させたタイルの施工構造を示す縦断面図、図４は金属板の全体を示す正面図である。図５は別の実施の形態を示す縦断面図である。
【００２２】
このタイル施工用の金属板１は、鋼板などの金属板に折曲加工を施すことにより、水平方向に複数条（この実施の形態では５条）のタイル掛止部３を設けたものであり、図４の如く水平方向に長尺となるように躯体壁面にビス９により取り付けられる。この掛止部３は、上面３ａが前方に向って上り勾配となっており、下面３ｂが略水平方向に起立している。
【００２３】
最上段の掛止部３の上側は上辺部２であり、その最上端にフック部５が設けられている。このフック部５は、起立片５ａと延出片５ｂとからなる。起立片５ａは上辺部２から略水平前方に起立している。延出片５ｂは、この起立片５ａの起立方向の先端から上方に延出している。この延出片５ｂは、鉛直方向よりも角度θだけ躯体側に傾いている。この角度θは３〜１０°程度が好適である。
【００２４】
掛止部３同士の間は平部４となっている。最下段の掛止部３は、金属板１の最下端に位置し、その下方には金属板１の延長部分は全く存在しない。
【００２５】
上辺部２及び平部４には、２条のマーク７，８が相互間に間隔をあけて掛止部３と平行方向に設けられている。これらのマーク７，８は極く浅く且つ幅狭の凹条よりなる。
【００２６】
この掛止部３に掛止されるタイル１１は、図３の通り、裏面の上側に掛止部３との係合用の溝１２が設けられ、下側にビス９の頭部を収容可能な溝１３が設けられている。上側の溝１２は、掛止部３に引掛かるようにアリ状となっている。これらの溝１２，１３はタイル１１の左端から右端にまで延設されている。
【００２７】
この実施の形態では、図３の通り、タイル１１の上端に雄実１４が設けられているが、下端には雌実が設けられていない。ただし、雌実を設け、タイル１１が掛止部３に掛止されると、該雄実１４と雌実とが係合するようにしてもよい。
【００２８】
このタイル１１の施工を行うには、上記金属板１を躯体前面に胴縁（図示略）を介して取り付ける。金属板１は、下段側から順次に取り付けられる。最下段の金属板１の取り付けに際しては、予め躯体壁面の最下辺にスタート金具（図示略）を取り付けておく。その後、この最下段の金属板１の上方側に下から２段目の金属板１を配置し、ビス９で留め付ける。この際、下から２段目の金属板１の掛止部３を最下段の金属板１のフック部５に嵌合させる。ここで、掛止部３の下面３ｂをフック部５の起立片５ａと当接させることにより、下から２段目の金属板１の上下方向の位置決めを行う。そして、下から２段目の金属板１をビス９で留め付ける。下から３段目以降の金属板１についても同様にして配置し、ビス留めする。
【００２９】
この実施の形態では、ビス９をマーク８から打つので、各ビス９の上下方向位置は均一に揃ったものとなり、後にタイル１１を掛止部３に掛止したときに各ビス９の頭部が確実に溝１３内に収容される。また、掛止部３の下面３ｂをフック部５の起立片５ａと当接させることにより、金属板１同士の上下方向の位置決めが容易かつ正確に行われる。
【００３０】
金属板１の留付終了後、マーク７に沿って接着剤を付着させる。その後、タイル１１を下側の掛止部３から順次に掛止する。タイル１１の溝１２を掛止部３に掛止させると、溝１２，１３同士の間の部分がマーク７部分の上記接着剤に重なり、金属板１に接着される。最下段のタイル掛止部３に掛止されたタイル１１については、図３に示すように、下方に隣接する金属板１の上辺部２のマーク７付近に接着される。この上辺部２は、そのマーク８に打たれたビス９によって胴縁に固定されている。
【００３１】
このタイルの施工構造にあっては、最下段の掛止部３よりも下方にはビス９は存在しない。そのため、ビス９を打っても金属板１の最下端に反りは生じない。
【００３２】
また、最下段の掛止部３に掛止されたタイル１１の下部は、下方に隣接する金属板１の上辺部２に接着剤によって接着されるので、全く浮動しない。
【００３３】
このタイル施工に際しては、最下段から２段目以降の金属板１については、その下端の掛止部３を下段側金属板１のフック部５に嵌合させるだけで水平出し及び上下位置出しすることができる。また、ビス９を凹条よりなるマーク８に打つため、ビスが上下にずれ動くことが防止される。このようなことから、このタイルの施工構造は施工効率が極めて良好である。また、金属板１は掛止部３及びフック部５とマーク７，８を除いては全く平坦であり、金属板１の製造コストが低廉となる。
【００３４】
上記実施の形態では、金属板１の最上端にフック部５を設けているが、図５の金属板１Ａのようにこのフック部５は省略されてもよい。
【００３５】
この金属板１Ａの位置決めは、例えば規定長さの定規棒を用いて行われる。即ち、下方側の金属板（第１の金属板）１Ａを躯体にビス９によって留め付けた後、この金属板１Ａの上側に第２の金属板１Ａを配置するに際し、第１の金属板１Ａの最上段の掛止部３の上側に定規棒を当て、第２の金属板１Ａの最下段の掛止部３の下側を該定規棒に当てて第２の金属板１Ａの位置決めを行う。この方法によれば、第２の金属板１Ａの上下方向の位置決め及び水平出しをきわめて簡単に行うことができる。
【００３６】
【発明の効果】
以上の通り、本発明によると、タイル施工用金属板によってタイルを施工した構造において、該金属板端部の反りに起因したタイルの浮きが防止されると共に、金属板の最下段の掛止部に掛止されたタイルの浮動も防止される。
【図面の簡単な説明】
【図１】実施の形態に係るタイル施工用金属板を示すものであり、（ａ）図は（ｂ）図（正面図）のＡ−Ａ線断面図である。
【図２】（ａ）、（ｂ）は図１のＩＩａ、ＩＩｂ部分の拡大図、（ｃ）は金属板同士の重なり合い部分の縦断面図である。
【図３】図１の金属板にタイルを掛止させたタイルの施工構造を示す縦断面図である。
【図４】図３（ａ）の上部と下部の拡大図である。
【図５】別の実施の形態を示す縦断面図である。
【図６】従来のタイルの施工構造を示す縦断面図である。
【図７】別の従来のタイルの施工構造を示すものであり、（イ）は正面図、（ロ）は縦断面図である。
【図８】図７の基板（タイル施工用金属板）同士の係合部分の拡大縦断面図である。
【符号の説明】
１，１Ａ  金属板
２  上辺部
３  掛止部
４  平部
５  フック部
７，８  マーク
９  ビス
１１  タイル
１２，１３  溝
【図１】
2004244852.tif 000003
【図２】
2004244852.tif 000004
【図３】
2004244852.tif 000005
【図４】
2004244852.tif 000006
【図５】
2004244852.tif 000007
【図６】
2004244852.tif 000008
【図７】
2004244852.tif 000009
【図８】
2004244852.tif 000010